(57)【要約】【課題】支柱に架台を簡便に固定する架台用ブラケットを提供する。【解決手段】架台用ブラケット１０は、支柱１にくさび形の脚部３４、３５を有する架台３０を固定するための架台用ブラケットであって、架台の脚部を支持し、第一端部１１ａと第一端部の反対側の端部に位置する当接部１１ｂとを有する架台側支持部１１と、支柱の奥行の長さＬ０より大きい距離Ｌ１離れて架台側支持部に対して対向して配置され、架台側支持部の第一端部と同方向の端部に位置する係合部１２ａを有する柱側支持部１２と、架台側支持部の一方の側部１１ｃと、架台側支持部の一方の側部と同方向に位置する柱側支持部の一方の側部１２ｃとを連結する連結部１３とを備え、架台が固定されるとき、当接部が支柱の正面１ａに当接し、係合部が支柱の背面１ｂに係合して、架台側支持部と支柱の正面との間の空間に架台の脚部が挿入されることで、架台が支柱に固定される。【選択図】図２
2020056164.tif 000002
【特許請求の範囲】
【請求項１】
支柱にくさび形の脚部を有する架台を固定するための架台用ブラケットであって、
前記架台の脚部を支持し、第一端部と該第一端部の反対側の端部に位置する当接部とを有する架台側支持部と、
前記支柱の奥行の長さより大きい距離離れて前記架台側支持部に対して対向して配置され、前記架台側支持部の第一端部と同方向の端部に位置する係合部を有する柱側支持部と、
前記架台側支持部の一方の側部と、該側部と同方向に位置する前記柱支持部の一方の側部とを連結する連結部と、を備え、
前記架台が固定されるとき、前記架台側支持部の前記当接部が前記支柱の正面に当接し、前記柱側支持部の前記係合部が前記支柱の背面に係合して、前記架台側支持部と前記支柱の正面との間の空間に前記架台の脚部が挿入されることで、前記架台が前記支柱に固定されることを特徴とする、架台用ブラケット。
【請求項２】
前記架台側支持部の他方の側部から前記柱側支持部に向かって延びる第一係止部と、
前記柱側支持部の他方の側部から前記架台側支持部に向かって延びる第二係止部と、を備え、前記第一係止部の先端と前記第二係止部の先端との間の距離が前記支柱の奥行の長さ以上であることを特徴とする、請求項１に記載の架台用ブラケット。
【請求項３】
前記柱側支持部の高さ方向の長さが前記架台側支持部の高さ方向の長さより小さいことを特徴とする請求項１又は２に記載の架台用ブラケット。
【発明の詳細な説明】
【技術分野】
【０００１】
本発明は架台用ブラケットに係り、例えば支柱に荷物用構台を取り付けるための架台用ブラケットに関する。
【背景技術】
【０００２】
従来、住居を施工する際の手順として、建物の外周を設置した後、天井及び内壁を施工して床を設置することが行われてきた。しかしながら、この工法では内壁に必要な断熱材等の搬入を、各階の床及び天井が設置されるたびに行われるため、搬入作業が煩雑となる。そのため、近年では天井及び床を先行して設置し、内壁をまとめて搬入して設置する天井・床先行工法が試みられている。このような工法では、床が先行して設置されるものの、床に直接荷物等を置くことが難しい。そのため、先に設置された支柱等を利用して例えばくさび形の脚部を有する架台、例えば荷物用構台を簡便に設置することが望まれている。特許文献１には、くさび緊結式の足場用支柱が開示されているものの、先に設置された建物の支柱を利用して、簡便に架台等を設置することは行われていない。
【先行技術文献】
【特許文献】
【０００３】
【特許文献１】特開２０１７−２０３３７５号公報
【発明の概要】
【発明が解決しようとする課題】
【０００４】
本発明は前記の課題に鑑みてなされたものであって、その目的は、支柱に架台を簡便に固定する架台用ブラケットを提供することにある。
【課題を解決するための手段】
【０００５】
前記課題は、支柱にくさび形の脚部を有する架台を固定するための架台用ブラケットであって、前記架台の脚部を支持し、第一端部と該第一端部の反対側の端部に位置する当接部とを有する架台側支持部と、前記支柱の奥行の長さより大きい距離離れて前記架台側支持部に対して対向して配置され、前記架台側支持部の第一端部と同方向の端部に位置する係合部を有する柱側支持部と、前記架台側支持部の一方の側部と、該側部と同方向に位置する前記柱側支持部の一方の側部とを連結する連結部と、を備え、前記架台が固定されるとき、前記架台側支持部の前記当接部が前記支柱の正面に当接し、前記柱側支持部の前記係合部が前記支柱の背面に係合して、前記架台側支持部と前記支柱の正面との間の空間に前記架台の脚部が挿入されることで、前記架台が前記支柱に固定されることを特徴とする、架台用ブラケットにより、解決される。
【０００６】
架台用ブラケットの柱側支持部の係合部を支柱の背面に係合させ、架台側支持部の当接部を支柱の正面に当接させることにより、架台用ブラケットを固定する。架台用ブラケットを支柱に取り付けた後は、架台のくさび形の脚部を架台側支持部と支柱の正面との間に挿入することにより架台を固定することができる。架台用ブラケットの取付けにくぎやボルト等の締結部材が不要で、架台を固定するための道具も不要であり、支柱に架台を簡便に固定することが可能になる。
【０００７】
また、前記架台側支持部の他方の側部から前記柱側支持部に向かって延びる第一係止部と、前記柱側支持部の他方の側部から前記架台側支持部に向かって延びる第二係止部と、を備えてよく、また、前記第一係止部の先端と前記第二係止部の先端との間の距離が前記支柱の奥行の長さより大きくてよい。架台用ブラケットを支柱に取り付ける際、第一係止部と第二係止部との間から支柱を挿入することが可能となり、また、取り付けた後は、第一係止部及び第二係止部により、架台用ブラケットの横方向（幅方向）の移動が防止される。
【０００８】
また、前記柱側支持部の高さ方向の長さが前記架台側支持部の高さ方向の長さより小さくてよい。これにより、架台用ブラケットを支柱に取り付けた後、支柱の背面側への突出が小さくなり、支柱の背面と壁との隙間が小さい場合でも、架台用ブラケットを支柱に取り付けることが可能になる。
【発明の効果】
【０００９】
本発明に係る架台用ブラケットによれば、支柱に架台を簡便に固定する架台用ブラケットを提供することができる。
【図面の簡単な説明】
【００１０】
【図１】架台用ブラケットを用いて荷物用構台を支柱に取り付けた状態を示す側面図である。
【図２】架台用ブラケットを示す斜視図であり、架台用ブラケットが支柱に取付けられた状態を示す図である。
【図３】架台用ブラケットの三面図であり、（ａ）は側面図、（ｂ）は正面図、（ｃ）は平面図である。
【図４】（ａ）〜（ｃ）は、架台用ブラケットを支柱に固定して、架台の脚部を取り付ける手順を示す図である。
【図５】（ａ）及び（ｂ）は、架台用ブラケットに補強部を追加した例を示す斜視図である。
【発明を実施するための形態】
【００１１】
以下、本発明の一実施形態（以下、本実施形態）について図１〜図５を用いて説明する。以下の実施形態において同一又は類似の構成要素には共通の参照符号を付して示し、理解を容易にするために、これら図面は縮尺を適宜変更している。
【００１２】
本実施形態の架台用ブラケット１０は、図１に示すように支柱１に取り付けられる荷物用構台３０（架台の一例）を固定するための部材である。なお、本願明細書では、荷物用構台３０が取り付けられる支柱１の側面を正面１ａとし、その反対側を支柱１の背面１ｂとする。荷物用構台３０は、梁材３１、柱材３３及び梁材３１を支持する斜材３２からなる。柱材３３の上端部にはくさび形の上側脚部３４が形成され、柱材３３の下端部にはくさび形の下側脚部３５が形成される。支柱１は、その基端側において基礎３と連結するために凸部４が支柱１の周囲に設けられる。支柱１の背面側に外壁２が隙間５をあけて配置される。図１に示すように、上下に配置された二つの架台用ブラケット１０により、荷物用構台３０の上側脚部３４及び下側脚部３５が支持され、支柱１に荷物用構台３０が固定される。
【００１３】
架台用ブラケット１０は、荷物用構台３０の上側脚部３４及び下側脚部３５を支持する架台側支持部１１を有する。また、支柱の奥行の長さＬ０より長い大きい距離Ｌ１離れて架台側支持部１１に対して対向して配置される柱側支持部１２を有する。
架台側支持部１１は第一端部１１ａと、その第一端部１１ａの反対側にある端部に位置する当接部１１ｂを有する。
柱側支持部１２は、架台側支持部１１の第一端部１１ａと同方向の端部に位置する係合部１２ａを有し、その反対側に第二端部１２ｂを有する。
また、架台用ブラケット１０は、架台側支持部１１の両側部のうち一方の側部１１ｃと、架台側支持部１１の側部１１ｃと同方向に位置する柱側支持部１２の一方の側部１２ｃとを連結する台形状の連結部１３を備える。
【００１４】
荷物用構台３０が支柱１に固定されるとき、架台側支持部１１の当接部１１ｂが、支柱１の正面１ａに当接し、柱側支持部１２の係合部１２ａが支柱１の背面１ｂに係合する。そして、架台側支持部１１と支柱１の正面１ａとの間の空間に、荷物用構台３０の上側脚部３４及び下側脚部３５が挿入される。それにより、荷物用構台３０が支柱１に固定される。
【００１５】
架台用ブラケット１０は、図２及び図３に示すように、架台側支持部１１の他方の側部１１ｄから柱側支持部１２に向かって延びる第一係止部１４と、柱側支持部１２の他方の側部１２ｄから架台側支持部１１に向かって延びる第二係止部１５とを備える。また、第一係止部１４の先端１４ａと第二係止部１５の先端１５ａとの間には隙間があり、その隙間の長さＬ２は、支柱１の奥行の長さＬ０とほぼ同じ大きさか若干大きく形成される。そのため、図３（ａ）〜図３（ｃ）に示すように架台用ブラケット１０の架台側支持部１１を垂直に、すなわち支柱１に対して平行にした状態では、隙間から支柱１を挿入することができる。さらに、図１及び図２に示すように支柱１に対して架台用ブラケット１０を傾けた状態では、第一係止部１４及び第二係止部１５の一部が、支柱１の側面に当接することから、架台用ブラケット１０は横方向（架台用ブラケット１０の幅方向）にずれるのが防止される。なお、本明細書では図２に示すＸ方向を幅方向、Ｙ方向を奥行方向、Ｚ方向を高さ方向又は鉛直方向と呼ぶものとする。
【００１６】
また、図２及び図３（ａ）に示すように、柱側支持部１２の高さ方向の長さＨ２は、架台側支持部１１の高さ方向の長さＨ１より短い。これは、例えば架台側支持部１１と柱側支持部１２とが同じ高さで作製されると、架台用ブラケット１０を傾けた場合、外壁２側に突出する部分が大きく、外壁２に当接して架台用ブラケット１０を傾けることが妨げられる。そのため、柱側支持部１２の高さ方向の長さＨ２を短くすることで、支柱１と外壁２との間が狭い場合でも取り付けが可能になる。
【００１７】
支柱１は、図１に示すように基礎３と連結する部分において凸部４が周囲に形成される。架台用ブラケット１０の架台側支持部１１の当接部１１ｂを、凸部４に当接させることで、架台用ブラケット１０が凸部４より下がることがない。
【００１８】
図４（ａ）〜図４（ｃ）を用いて、架台用ブラケット１０により荷物用構台３０のくさび形の下側脚部３５を支柱１に取り付ける手順を説明する。図４（ａ）に示すように、架台側支持部１１及び柱側支持部１２が支柱１の鉛直方向に対して平行になるようにし、支柱１を、第一係止部１４と第二係止部１５との間の隙間を経由して、架台用ブラケット１０の内部に挿入する。次に、図４（ｂ）に示すように、架台用ブラケット１０を図４（ａ）の矢印Ａ、Ｂ方向に傾けて、架台側支持部１１の当接部１１ｂを支柱１の正面１ａに、柱側支持部１２の係合部１２ａを支柱１の背面１ｂに係合させる。このとき、当接部１１ｂを支柱１の凸部４まで下げて当接させてよい。これにより、架台側支持部１１と支柱１の正面１ａとの間にくさび形の空間Ｃが形成される。次に、図４（ｃ）に示すように、空間Ｃに下側脚部３５を挿入して、架台側支持部１１と支柱１の正面１ａとにより挟み込む。
【００１９】
上側脚部３４については、架台用ブラケット１０の上下方向を入れ替え、さかさまにした状態で、上記手順と同様に、第一係止部１４と第二係止部１５との間の隙間を経由して架台用ブラケット１０の内部に支柱１を挿入する。架台用ブラケット１０を傾けて、当接部１１ｂを正面１ａに当接させ、柱側支持部１２の係合部１２ａを支柱１の背面１ｂに係合させる。その状態で、架台用ブラケット１０を下げて、架台側支持部１１と支柱１の正面１ａとの間にくさび形の上側脚部３４を挿入する。これにより、荷物用構台３０が支柱１に固定される。
【００２０】
図５（ａ）に、柱側支持部１２及び連結部１３が補強された架台用ブラケット１１０を示す。柱側支持部１２は、架台側支持部１１よりも高さ方向の長さが短いため架台側支持部１１より変形しやすい。そのため、図５（ａ）に示すように、柱側支持部１２の第二端部１２ｂに第一補強部１８が設けられる。また、連結部１３は、架台側支持部１１から受ける荷重により曲げられる可能性があるため、連結部１３の側面に第二補強部１９が設けられる。第二補強部１９は架台側支持部１１の側面まで延長されてもよい。また、図５（ａ）に示すように、当接部１１ｂを延長する延長部１７を設けてもよい。延長部１７の先端が支柱１の凸部４に当接して架台用ブラケット１１０を支持するため、架台用ブラケット１１０が固定される位置は、図１〜４に示す架台用ブラケット１０が固定される位置より高くすることができる。
【００２１】
図５（ｂ）に補強部が設けられた架台用ブラケット２１０を示す。架台用ブラケット２１０では、柱側支持部１２の第二端部１２ｂに第一補強部１８が設けられ、さらに、連結部１３の側面及び柱側支持部１２の側面に亘って第三補強部２０が設けられる。第三補強部２０は、柱側支持部１２の側面、連結部１３の側面、架台側支持部１１の側面に亘って設けられてもよい。
【００２２】
上記実施形態では、主として本発明に係る架台用ブラケットに関して説明した。ただし、上記形態は、本発明の理解を容易に理解するための一例に過ぎず、本発明を限定するものではない。本発明は、その趣旨を逸脱することなく、変更、改良され得ると共に、本発明にはその等価物が含まれることはもちろんである。
【符号の説明】
【００２３】
１    支柱
２    壁
３    基礎
４    凸部
５    隙間
１０、１１０、２１０  架台用ブラケット
１１  架台側支持部
１１ａ  第一端部
１１ｂ  当接部
１２  柱側支持部
１２ａ  係合部
１２ｂ  第二側部
１３  連結部
１４  第一係止部
１５  第二係止部
１７  延長部
１８  第一補強部
１９  第二補強部
２０  第三補強部
３０  荷物用構台（架台）
３１  梁材
３２  斜材
３３  柱材
３４  上側脚部
３５  下側脚部
【図１】
2020056164.tif 000003
【図２】
2020056164.tif 000004
【図３】
2020056164.tif 000005
【図４】
2020056164.tif 000006
【図５】
2020056164.tif 000007